(57)【要約】【課題】モバイル端末等の端末装置から印刷装置に直接データを転送して印刷する場合、印刷装置固有のドライバの登録を行わなければ印刷を行うことができなかった。【解決手段】端末装置２４から直接転送されるデータの印刷を行う印刷装置２２において、端末装置２４から転送される印刷データの種類を印刷データ解析部３２で解析し、この印刷データがそのまま印刷することができずかつデータ変換によって印刷可能な形式のデータであるとの解析結果の場合に、データ変換部３３で印刷データを書式情報が定まっていない言語にデータ変換するとともに、書式設定部３６で印刷要求属性と対応する書式を設定し、そのデータ変換した印刷データを印刷要求属性と対応して設定した書式にて印刷するようにする。【選択図】　　　　図３
2004074669.tif 000002
【特許請求の範囲】
【請求項１】
端末装置から直接転送される印刷データの種類を解析するデータ解析手段と、
前記データ解析手段で前記印刷データがそのまま印刷することができずかつデータ変換によって印刷可能な形式のデータであると解析された場合に、前記印刷データを書式情報が定まっていない言語に変換するデータ変換手段と、
前記端末装置から前記印刷データと共に転送される印刷要求属性を解析する属性解析手段と、
前記属性解析手段で解析された印刷要求属性と対応する書式情報を設定する書式設定手段と、
前記データ変換手段で変換された印刷データを前記書式設定手段で設定された書式情報に応じて印刷する出力手段と
を備えることを特徴とする印刷装置。
【請求項２】
端末装置から直接転送される印刷データの種類を解析するデータ解析手段と、
前記端末装置から前記印刷データと共に転送される印刷要求属性を解析する属性解析手段と、
前記データ解析手段で前記印刷データがそのまま印刷することができずかつデータ変換によって印刷可能な形式のデータであると解析された場合に、前記印刷データを前記属性解析手段で解析された印刷要求属性と対応する書式情報が含まれる言語に変換するデータ変換手段と、
前記データ変換手段で変換された印刷データを印刷する出力手段と
を備えることを特徴とする印刷装置。
【請求項３】
請求項１または２記載の印刷装置においてさらに、
各種書式の情報と、前記各種書式と対応する印刷様式と、前記各種書式と対応する印刷要求属性とを関連付けて登録する登録手段
を備えることを特徴とする印刷装置。
【請求項４】
請求項１または２記載の印刷装置においてさらに、
前記データ変換手段を登録する第１の登録手段と、
前記データ変換手段が用いられる印刷様式を登録する第２の登録手段と、
前記第１の登録手段と前記第２の登録手段とを関連付ける登録関連手段と
を備えることを特徴とする印刷装置。
【請求項５】
前記データ解析手段は、前記印刷データの種類を解析できなかった場合にファイルの拡張子を使用する
ことを特徴とする請求項１または２記載の印刷装置。
【請求項６】
前記データ解析手段は、前記印刷データの種類を解析できなかった場合にデータの内容を解析して印刷データの種類を決定する
ことを特徴とする請求項１または２記載の印刷装置。
【請求項７】
前記属性解析手段は、前記印刷要求属性を解析できなかった場合に優先順位の高い形式を選択する
ことを特徴とする請求項１または２記載の印刷装置。
【請求項８】
前記属性解析手段は、前記印刷要求属性を解析できなかった場合に当該印刷要求属性の使用頻度の高い形式を選択する
ことを特徴とする請求項１または２記載の印刷装置。
【請求項９】
前記属性解析手段は、前記印刷要求属性を解析できなかった場合に利用者が設定した優先順位の形式を選択する
ことを特徴とする請求項７記載の印刷装置。
【請求項１０】
前記属性解析手段は、前記印刷要求属性が取得できなかった場合に前記印刷データの内容を解析して最適な形式を選択する
ことを特徴とする請求項１または２記載の印刷装置。
【請求項１１】
端末装置から直接転送されるデータの印刷を行う印刷装置において、
前記端末装置から転送される印刷データの種類を解析し、
前記印刷データがそのまま印刷することができずかつデータ変換によって印刷可能な形式のデータであるとの解析結果の場合に、前記印刷データを書式情報が定まっていない言語にデータ変換するとともに、前記印刷要求属性と対応する書式を設定し、
そのデータ変換した印刷データを前記印刷要求属性と対応して設定した書式にて印刷する
ことを特徴とする印刷方法。
【請求項１２】
端末装置から直接転送されるデータの印刷を行う印刷装置において、
前記端末装置から転送される印刷データの種類を解析し、
前記印刷データがそのまま印刷することができずかつデータ変換によって印刷可能な形式のデータであるとの解析結果の場合に、前記印刷データを前記印刷要求属性と対応する書式情報が含まれる言語にデータ変換し、
そのデータ変換した印刷データを前記印刷要求属性と対応する書式にて印刷する
ことを特徴とする印刷方法。
【発明の詳細な説明】
【０００１】
【発明の属する技術分野】
本発明は、端末装置から直接転送されるデータの印刷を行う印刷装置および当該印刷装置における印刷方法に関し、特に持ち運び可能なモバイル端末から転送されるデータの印刷を行う印刷装置および当該印刷装置における印刷方法に関するものである。
【０００２】
【従来の技術】
従来、ホスト装置内の文書を印刷装置に転送して印刷する技術として、当該文書をホスト装置内で印刷装置固有のドライバを介して印刷装置が解釈できるデータ形式に変換した後、当該印刷装置に転送して印刷を行う技術（以下、第１従来技術と記す）が知られている。また、印刷装置でテキスト文書等を直接解釈して印刷する技術（以下、第２従来技術と記す）も知られている。その他、特開２００１−３５０６０３号公報に開示されているように、書式の定まっていないデータと指定されたサーバから書式情報を取得して印刷することで、ユーザの意図した書式で印刷する技術（以下、第３従来技術と記す）が提案されている。
【０００３】
【発明が解決しようとする課題】
しかしながら、上述した第１、第２、第３従来技術には、次のような課題があった。すなわち、第１従来技術では、印刷装置固有のドライバをホスト装置に登録して実行しなければならないため、オフィスに設置しているホスト装置の場合には問題ないが、移動する際に持ち歩くことを前提に考えられているＰＤＡ（Ｐｅｒｓｏｎａｌ　Ｄｉｇｉｔａｌ　Ａｓｓｉｓｔａｎｔｓ）等のモバイル端末では、印刷装置固有のドライバをその都度登録するのは困難である。また、ＰＤＡのような携帯装置では、その印刷装置用のドライバが存在しないため印刷できないなどの課題があった。
【０００４】
第２従来技術では、印刷装置が印刷できるようにデータ形式毎に印刷できる形式（イメージ）に変換する機能を持たなければならないため印刷装置に負担がかかる一方、ユーザが所望する形式に印刷が行えないなどの課題があった。また、第３従来技術では、外部データを所望の形式に印刷することは可能であるが、ユーザがデータを所望の形式に変換しなければならないため、誰もが容易に使用できないという課題があった。
【０００５】
本発明は、上記課題に鑑みてなされたものであり、その目的とするところは、特に持ち運び可能なモバイル端末から印刷装置固有のドライバの登録および起動を行わなくても容易に所望の形式で印刷を行うことが可能な印刷装置および当該印刷装置における印刷方法を提供することにある。
【０００６】
【課題を解決するための手段】
上記課題を解決するために、本発明では、端末装置から直接転送されるデータの印刷を行う印刷装置において、端末装置から転送される印刷データの種類を解析し、当該印刷データがそのまま印刷することができずかつデータ変換によって印刷可能な形式のデータであるとの解析結果の場合に、印刷データを書式情報が定まっていない言語にデータ変換するとともに、前記印刷要求属性と対応する書式を設定する、または印刷データを印刷要求属性と対応する書式情報が含まれる言語にデータ変換する。そして、そのデータ変換した印刷データを印刷要求属性と対応して設定した書式にて印刷する。
【０００７】
これにより、端末装置、特に持ち運び可能なモバイル端末から、印刷装置が印刷できない形式のデータを直接転送して印刷する際に、その印刷データがデータ変換によって印刷可能な形式のデータである場合には、印刷装置固有のドライバの登録を行わなくても容易に、ユーザが指定した印刷要求属性に対応した所望の形式（書式）で印刷を行うことができる。
【０００８】
【発明の実施の形態】
以下、本発明の実施の形態について図面を参照して詳細に説明する。図１は、本発明の一実施形態に係る印刷装置の構成例を示すブロック図である。
【０００９】
図１から明らかなように、本実施形態に係る印刷装置は、ＣＰＵ（中央演算処理装置）１１、記憶部（メモリ）１２、通信部１３、補助記憶部１４、ローカル通信部１５およびエンジン部１６を有し、これらの構成要素がバスライン１７を介して相互に接続された構成となっている。
【００１０】
通信部１３は、イーサネット（登録商標）、無線装置等であって、本印刷装置をホスト装置（図示せず）と接続し、印刷要求および印刷データを当該ホスト装置から受信して印刷可能な形式に変換する。補助記憶部１４はハードディスク等からなり、スプールデータおよび情報テーブルを格納する。ローカル通信部１５は、無線ＬＡＮ等であって、本印刷装置を端末装置２４と接続し、印刷要求および印刷データを当該端末装置２４から受信して印刷可能な形式に変換する。出力部であるエンジン部１６は、通信部１３を介して指定された印刷データを記憶部１２上に作成し、紙等の記録媒体に印刷する。
【００１１】
図２は、上記構成の本実施形態に係る印刷装置を用いた場合のネットワーク構成例を示す図である。本構成例に係るネットワークは、ＷＷＷサーバ２１、印刷装置２２、無線公衆回線基地２３および端末装置２４によって構成されている。かかる構成のネットワークにおいて、印刷装置２２として上記構成の本実施形態に係る印刷装置が用いられる。
【００１２】
端末装置２４は、携帯電話やＰＤＡに代表される携帯端末（モバイル端末）等の通信機能を持つ端末装置であり、無線公衆回線基地２３との間で公衆無線通信にてデータの転送を行うとともに、印刷装置２２との間でローカル通信にてデータの転送を行う。具体的には、端末装置２４は、ＷＷＷサーバ２１に格納されている内容を取得する際、無線公衆回線基地局２３を介してＷＷＷサーバ２１にアクセスし、データを取得する。また、端末装置２４は、ＷＷＷサーバ２１から取得したデータまたは当該端末装置２４内に格納されていたデータを印刷装置２２に転送するとともに、当該印刷装置２２に対して印刷要求を行う。
【００１３】
印刷装置２２は、端末装置２４から直接転送される印刷データおよび印刷要求を受信すると、その受信した印刷データについて印刷要求に応じたデータ変換を行った後、紙等の記録媒体に印刷する。以下に、印刷装置２２、即ち本実施形態に係る印刷装置が持つ各機能およびこれら各機能によって実行される処理について具体例を挙げて説明する。
【００１４】
［第１具体例］
図３は、第１具体例に係る印刷装置の各機能を示す機能ブロック図である。図３から明らかなように、第１具体例に係る印刷装置は、印刷データ取得部３１、印刷データ解析部３２、データ変換部３３、属性取得部３４、属性解析部３５、書式設定部３６、書式登録部３７、書式対応部３８および印刷指示部３９を有する構成となっている。
【００１５】
印刷データ取得部３１は、図１のローカル通信部１５に相当し、端末装置２４からローカル通信にて転送される印刷データを取得し、その取得した印刷データを印刷データ解析部３２およびデータ変換部３３に渡す。印刷データ解析部３２は、印刷データ取得部３１で取得された印刷データの種類、具体的には受信した印刷データがそのまま印刷することが可能な形式のデータであるか、不可能な形式のデータであるか、不可能な形式の場合はデータ変換によって印刷可能な形式のデータであるかなどの解析を行う。
【００１６】
データ変換部３３は、印刷データ解析部３２の解析結果を受けて、受信した印刷データがそのまま印刷することが可能な形式のデータであるとの解析結果の場合には、データ変換を行わずに印刷データ取得部３１から受けとった印刷データをそのまま出力する。一方、受信した印刷データがそのまま印刷することができずかつデータ変換によって印刷可能な形式なデータであるとの解析結果の場合には、データ変換部３３は、印刷データ取得部３１から受けとった印刷データを、書式情報が定まっていない言語、即ち印刷様式を含まない言語に変換して出力する。
【００１７】
印刷様式を含まないデータ形式として、ＸＭＬ（ｅＸｔｅｎｓｉｂｌｅ　Ｍａｒｋ−ｕｐ　Ｌａｎｇｕａｇｅ）が知られている。図４に端末装置２４から送られてくる変換前のデータ例（ＶＣＡＲＤ形式）を、図５に変換後のデータ例をそれぞれ示す。ここでは、印刷様式を含まないデータ形式としてＸＭＬ、印刷様式ＣＳＳ（Ｃａｓｃａｄｉｎｇ　Ｓｔｙｌｅ　Ｓｈｅｅｔｓ）の利用例の場合を例に挙げて示している。
【００１８】
属性取得部３４は、端末装置２４から転送される印刷要求の属性を取得し、これを属性解析部３５に渡す。属性解析部３５は、属性取得部３４から受け取った印刷要求の属性を解析し、その解析結果を書式設定部３６に渡す。印刷要求の属性としては、アドレス帳、名刺、スケジュール帳などが挙げられる。図６に印刷要求の属性がアドレス帳の場合の印刷例を、図７に印刷要求の属性が名刺の場合の印刷例をそれぞれ示す。
【００１９】
書式設定部３６は、属性解析部３５での解析結果、即ち印刷要求の属性と対応する印刷様式を、書式登録部３７に予め登録されている複数の印刷様式の中から選択して設定し、この設定した印刷様式の情報、即ち書式情報を書式対応部３７に渡す。書式対応部３８は、データ変換部３３で変換された印刷データと書式設定部３６で設定された書式情報とを対応付けて印刷指示部３９に渡す。印刷指示部３９は、書式対応部３８から受けた印刷データを、対応する書式情報の印刷様式で印刷するように、エンジン部１６に対して印刷指示を出す。
【００２０】
続いて、第１具体例に係る印刷装置における印刷方法の処理手順、即ちデータ変換印刷の処理手順について、その処理の流れを示す図６のフローチャートを用いて説明する。
【００２１】
端末装置２４から印刷指示（印刷要求）があると（ステップＳ１１）、印刷データを受信し（ステップＳ１２）、印刷データの種類を解析する（ステップＳ１３）。そして、その印刷データの種類がデータ変換の必要な形式のデータであるか否かを判断する（ステップＳ１４）。ここで、受信した印刷データがそのまま印刷することができずかつデータ変換によって印刷可能な形式のデータである判断した場合は、端末装置２４からの印刷要求（印刷指示）を解析し（ステップＳ１５）、印刷様式を含まないデータに変換する（ステップＳ１６）。
【００２２】
次に、印刷要求の属性を調べる（ステップＳ１７）。ここで、印刷要求属性がない場合は、暗黙の印刷様式を設定する（ステップＳ１８）。印刷要求属性がある場合は、その属性内容と対応した印刷様式（印刷書式）を、予め登録してある複数の印刷様式の中から選択し（ステップＳ１９）、データ変換後の印刷データと設定した印刷様式の書式情報とを連携させる（ステップＳ２０）。そして、エンジン部１６の印刷準備ができているか否かを判断し（ステップＳ２１）、準備ができていれば印刷を行う（ステップＳ２２）。準備ができていなければスプールを行う。
【００２３】
上述したように、端末装置２４から直接転送されるデータの印刷を行う印刷装置２２において、端末装置２４から転送される印刷データの種類を解析し、この印刷データがそのまま印刷することができずかつデータ変換によって印刷可能な形式のデータであるとの解析結果の場合に、印刷データを書式情報が定まっていない言語にデータ変換するとともに、印刷要求属性と対応する書式を設定し、そのデータ変換した印刷データを印刷要求属性と対応して設定した書式にて印刷するようにすることで、端末装置２４、特に持ち運び可能なモバイル端末から印刷装置固有のドライバの登録および起動を行わなくても容易に所望の形式（書式）で印刷を行うことができる。
【００２４】
具体的には、例えば、印刷データが同一の電子名刺データの場合に、当該電子名刺データをユーザが指定する印刷要求の属性により、アドレス帳、名刺（業務用／ペライベート用）、簡易証明書写真などの所望の形式で印刷することが可能になる。特に、本具体例の場合、データ変換と書式情報の設定とを独立して行う構成を採っているため、新規の書式情報を容易に追加可能である。また、データ変換部が小さくて済みかつ複数のデコンポーザを持たなくて良くなるため、メモリ等の資源を節約できる。
【００２５】
［第２具体例］
図９は、第２具体例に係る印刷装置の各機能を示す機能ブロック図であり、図中、図３と同等部分には同一の符号を付して示している。図９から明らかなように、第２具体例に係る印刷装置は、印刷データ取得部３１、印刷データ解析部３２、データ変換部３３、属性取得部３４、属性解析部３５、書式登録部３７および印刷指示部３９を有し、第１具体例に係る印刷装置における書式設定部３６および書式対応部３８を持たない構成となっている。
【００２６】
ここで、印刷データ取得部３１、印刷データ解析部３２、属性取得部３４、属性解析部３５および書式設定部３６は、第１具体例に係る印刷装置における対応する各構成要素と基本的に同じ機能を持っている。データ変換部３３は、端末装置２４から転送された印刷データを、属性解析部３５での解析結果を受けて書式登録部３７で印刷要求属性に対応して選択された書式情報が含まれる言語、即ちデータおよび印刷書式が共存する形式に変換して印刷指示部３９に渡す。
【００２７】
図１０に印刷要求の属性が電子メールの場合の印刷例を、図１１に変換後のデータ例をそれぞれ示す。電子メールはＸＨＭＬ（Ｈｙｐｅｒ　Ｔｅｘｔ　Ｍａｒｋｕｐ　Ｌａｎｇｕａｇｅ）形式に変換される。印刷指示部３８は、データ変換部３３でデータおよび印刷書式が共存する形式にデータ変換された印刷データを、当該印刷書式にて印刷するように、エンジン部１６に対して印刷指示を出す。
【００２８】
続いて、第２具体例に係る印刷装置における印刷方法の処理手順、即ちデータ変換印刷の処理手順について、その処理の流れを示す図１２のフローチャートを用いて説明する。
【００２９】
端末装置２４から印刷指示（印刷要求）があると（ステップＳ３１）、印刷データを受信し（ステップＳ３２）、印刷データの種類を解析する（ステップＳ３３）。そして、その印刷データの種類がデータ変換の必要な形式のデータであるか否かを判断する（ステップＳ３４）。ここで、受信した印刷データがそのまま印刷することができずかつデータ変換によって印刷可能な形式のデータである判断した場合は、印刷指示を解析する（ステップＳ３５）。
【００３０】
続いて、端末装置２４からの印刷要求（印刷指示）の属性を調べる（ステップＳ３６）。ここで、印刷要求属性がない場合は、暗黙の印刷様式を選択する（ステップＳ３７）。印刷要求属性がある場合は、その属性内容と対応した変換手順を選択する（ステップＳ３８）。そして、選択した変換手順を用いて、印刷要求属性と対応した印刷様式を含むデータに変換する（ステップＳ３９）。印刷様式を含むデータ形式として、ＨＴＭＬが知られている。データ変換後に印刷要求を出力する（ステップＳ４０）。そして、エンジン部１６の印刷準備ができているか否かを判断し（ステップＳ４１）、準備ができていれば印刷を行う（ステップＳ４２）。準備ができていなければスプールを行う。
【００３１】
上述したように、端末装置２４から直接転送されるデータの印刷を行う印刷装置２２において、端末装置２４から転送される印刷データの種類を解析し、この印刷データがそのまま印刷することができずかつデータ変換によって印刷可能な形式のデータであるとの解析結果の場合に、印刷データを印刷要求属性と対応する書式情報が含まれる言語にデータ変換し、そのデータ変換した印刷データを印刷要求属性と対応する書式にて印刷するようにすることで、第１具体例の場合と同様に、端末装置２４、特に持ち運び可能なモバイル端末から印刷装置固有のドライバの登録および起動を行わなくても容易に所望の形式（書式）で印刷を行うことができる。
【００３２】
上記第１、第２具体例に係る印刷装置において、印刷様式については、複数の印刷様式を書式登録部３７に予め登録しておき、その複数の印刷様式の中から印刷要求属性に対応する印刷様式を選択して設定することになるが、書式登録部３７に登録する印刷様式については、後で新規に追加登録するようにすることも可能である。
【００３３】
ここで、ＷＷＷブラウザを使用して新規の印刷様式を登録する場合の処理について、その処理の流れを示す図１３のフローチャートを用いて説明する。
【００３４】
先ず、利用者がＷＷＷブラウザから印刷様式の登録を指定したか否かを判断する（ステップＳ５１）。登録指定があれば、図１４に示すような印刷様式登録設定画面を表示する（ステップＳ５２）。この表示画面上において、利用者は、文書形式、ファイル拡張子など該当する項目をひとつ以上設定する（ステップＳ５３）。
【００３５】
印刷様式の登録指定が完了したら（ステップＳ５４）、次に属性情報を指定する（ステップＳ５５）。属性情報の登録指定が完了したら（ステップＳ５６）、次に印刷様式を指定する（ステップＳ５７）。印刷様式の指定登録が完了したら（ステップＳ５８）、登録指定された時点（ステップＳ５９）で、指定された格納場所からデータを取得し（ステップＳ６０）、図３および図９に示す書式登録部３７に登録する（ステップＳ６１）。
【００３６】
ここで、書式登録部３７には、例えば図１５に示すように、文書種類、ファイルの拡張子、属性情報、様式名、優先順位および格納場所の対応関係を示す印刷様式管理テーブルにて登録される。
【００３７】
ところで、先述した第１、第２具体例に係る印刷装置では、印刷データの種類の解析において、解析できる場合を前提として説明したが、必ずしも印刷データの種類を解析できるとは限らない。そこで、印刷データの種類を解析できなかった場合には、図１５に示す印刷様式管理テーブルにおいて、ファイルの拡張子を使用することで、印刷データの種類を把握することができる。また、印刷データの内容を解析して印刷データの種類を決定することも可能である。
【００３８】
また、印刷要求属性の解析においても、必ずしも印刷要求属性を解析できるとは限らない。そこで、印刷要求属性を解析できなかった場合には、図１５に示す印刷様式管理テーブルにおいて、優先順位の高い形式を選択したり、印刷要求属性の使用頻度の高い形式を選択したり、利用者が設定した優先順位の形式を選択したり、あるいは印刷データの内容を解析して最適な形式を選択することで、以降の処理に移行することができる。
【００３９】
また、印刷様式を登録するだけでなく、データ変換手段で用いる変換モジュールを登録できるようにすることも可能である。具体的には、例えば図１６のデータ変換手段管理テーブルに示すように、データ変換手段で用いる変換モジュール名、文書種類、拡張子および格納場所を関連付けて登録するようにする。このように、データ変換手段で用いる変換モジュールを登録できるようにすることにより、利用者固有のデータのフォーマットで印刷することが可能になる。
【００４０】
【発明の効果】
以上説明したように、本発明によれば、端末装置から直接転送されるデータの印刷を行う印刷装置において、印刷データがそのまま印刷することができずかつデータ変換によって印刷可能な形式のデータである場合に、印刷データを書式情報が定まっていない言語にデータ変換するとともに印刷要求属性と対応する書式を設定するか、または印刷データを印刷要求属性と対応する書式情報が含まれる言語にデータ変換し、そのデータ変換した印刷データを印刷要求属性と対応して設定した書式にて印刷することで、端末装置、特に持ち運び可能なモバイル端末から印刷装置固有のドライバの登録を行わなくても容易に所望の形式で印刷を行うことが可能になる。
【図面の簡単な説明】
【図１】本発明の一実施形態に係る印刷装置の構成例を示すブロック図である。
【図２】本実施形態に係る印刷装置を用いた場合のネットワーク構成例を示す図である。
【図３】第１具体例に係る印刷装置の機能ブロック図である。
【図４】第１具体例における変換前のコード例を示す図である。
【図５】第１具体例における変換後のコード例を示す図である。
【図６】印刷要求属性がアドレス帳の場合の印刷例を示す図である。
【図７】印刷要求属性が名刺の場合の印刷例を示す図である。
【図８】第１具体例に係る印刷装置における印刷方法の処理の流れを示すフローチャートである。
【図９】第２具体例に係る印刷装置の機能ブロック図である。
【図１０】印刷要求属性が電子メールの場合の印刷例を示す図である。
【図１１】第２具体例における変換後のデータ例を示す図である。
【図１２】第２具体例に係る印刷装置における印刷方法の処理の流れを示すフローチャートである。
【図１３】ＷＷＷブラウザを使用して新規の印刷様式を登録する場合の処理の流れを示すフローチャートである。
【図１４】印刷様式登録設定画面例を示す図である。
【図１５】印刷様式管理テーブル例を示す図である。
【図１６】データ変換手段管理テーブル例を示す図である。
【符号の説明】
１１…ＣＰＵ、１２…記憶部、１３…通信部、１４…補助記憶部、１５…ローカル通信部、１６…エンジン部、２１…ＷＷＷサーバ、２２…印刷装置、２３…無線公衆回線基地、２４…端末装置、３１…印刷データ取得部、３２…印刷データ解析部、３３…データ変換部、３４…属性取得部、３５…属性解析部、３６…書式設定部、３７…書式登録部、３８…書式対応部、３９…印刷指示部
【図１】
2004074669.tif 000003
【図２】
2004074669.tif 000004
【図３】
2004074669.tif 000005
【図４】
2004074669.tif 000006
【図５】
2004074669.tif 000007
【図６】
2004074669.tif 000008
【図７】
2004074669.tif 000009
【図８】
2004074669.tif 000010
【図９】
2004074669.tif 000011
【図１０】
2004074669.tif 000012
【図１１】
2004074669.tif 000013
【図１２】
2004074669.tif 000014
【図１３】
2004074669.tif 000015
【図１４】
2004074669.tif 000016
【図１５】
2004074669.tif 000017
【図１６】
2004074669.tif 000018